(57)【要約】【課題】ゴンドラ本体の外面に取り付けられたソーラパネルの発電効率を良好に維持することができる索道用ゴンドラを提供する。【解決手段】ゴンドラ本体２の外面に、該ゴンドラの前後方向に延びるソーラパネル取り付け用の取付台１４を設け、該取付台１４と前記ゴンドラ本体２との間に、ゴンドラ前後方向に延び且つ両端部が開放した風洞５８を設ける。該風洞５８内には風力発電機６０を設けてもよい。また、前記ゴンドラ本体２の外面における取付台１４が設けられた部位に、該ゴンドラ本体２の内部空間と前記風洞５８の内部空間とを連通する換気口７０，７２を設けてもよい。【選択図】図３
2011246043.tif 000002
【特許請求の範囲】
【請求項１】
ゴンドラ本体の外面に、該ゴンドラの前後方向に延びるソーラパネル取り付け用の取付台が設けられ、該取付台と前記ゴンドラ本体との間に、ゴンドラ前後方向に延び且つ両端部が開放した風洞が設けられていることを特徴とする索道用ゴンドラ。
【請求項２】
前記取付台は、ゴンドラ本体の上面に取り付けられていることを特徴とする請求項１に記載の索道用ゴンドラ。
【請求項３】
ソーラパネル取付面の傾斜角度が互いに異なる複数の前記取付台が設けられていることを特徴とする請求項１または２に記載の索道用ゴンドラ。
【請求項４】
前記風洞内に風力発電機が設けられていることを特徴とする請求項１から請求項３のいずれか１項に記載の索道用ゴンドラ。
【請求項５】
前記風力発電機は、前記風洞の両端近傍部にそれぞれ設けられていることを特徴とする請求項４に記載の索道用ゴンドラ。
【請求項６】
前記ゴンドラ本体の外面における取付台が設けられた部位に、該ゴンドラ本体の内部空間と前記風洞の内部空間とを連通する換気口が設けられていることを特徴とする請求項１から請求項５のいずれか１項に記載の索道用ゴンドラ。
【発明の詳細な説明】
【技術分野】
【０００１】
本発明は、ロープウェイ等の索道に用いられるゴンドラに関する。
【背景技術】
【０００２】
一般的に、ロープウェイ等の索道用のゴンドラには、外部から電力を供給することが困難であるが、その一方で、空調装置、前照灯、尾灯、室内灯、音声装置などといった電気機器を索道用ゴンドラに搭載することが強く望まれている。例えば、観光地等に設置されたロープウェイではゴンドラ側面の略全周に亘って窓が設けられていることから、該窓からの入射光によりゴンドラ内の温度が上昇しやすいため、ゴンドラに冷房装置を搭載することが強く望まれている。
【０００３】
このような要求を受けて、一部の索道用ゴンドラには、空調装置等の電気機器と、該電気機器に電力を供給する蓄電池とが搭載されている。ところが、この場合、電気機器に十分な電力を供給するためには蓄電池の大型化が避けられないため、蓄電池の充電または交換の際、ゴンドラから蓄電池を取り外して運搬する作業が作業者にとって大きな負担になる。
【０００４】
この問題に対して、特許文献１には、ゴンドラ本体の側面にソーラパネルを取り付け、該ソーラパネルで発生した電力により、ゴンドラに搭載された蓄電池を充電するようにした技術が開示されている。この特許文献１の技術によれば、蓄電池をゴンドラに搭載したまま充電できるため、蓄電池のメンテナンス作業を軽減することができる。
【先行技術文献】
【特許文献】
【０００５】
【特許文献１】登録実用新案第３０２２２５５号公報
【発明の概要】
【発明が解決しようとする課題】
【０００６】
しかしながら、特許文献１の技術のようにゴンドラ本体の外面にソーラパネルを取り付ける場合、次のような不具合が生じ得る。つまり、発電効率を高くしようとすれば、必然的に太陽光を受けやすいようにソーラパネルを設置することになる。そうすると、太陽熱によってパネルの温度が上昇しやすくなる。一方で、ソーラパネルは、温度が高くなると発電効率が低下することが知られている。したがって、ゴンドラ本体の外面にソーラパネルを搭載しても、高い発電効率を得るのは難しく、ゴンドラに搭載された蓄電池や電気機器へ供給するための電力を十分に得られないことがある。
【０００７】
そこで、本発明は、ゴンドラ本体の外面に取り付けられたソーラパネルの発電効率を良好に維持することができる索道用ゴンドラを提供することを課題とする。
【課題を解決するための手段】
【０００８】
前記課題を解決するため、本発明に係る索道用ゴンドラは、次のように構成したことを特徴とする。
【０００９】
まず、本願の請求項１に記載の発明に係る索道用ゴンドラは、ゴンドラ本体の外面に、該ゴンドラの前後方向に延びるソーラパネル取り付け用の取付台が設けられ、該取付台と前記ゴンドラ本体との間に、ゴンドラ前後方向に延び且つ両端部が開放した風洞が設けられていることを特徴とする。
【００１０】
また、請求項２に記載の発明は、前記請求項１に記載の発明において、前記取付台は、ゴンドラ本体の上面に取り付けられていることを特徴とする。
【００１１】
さらに、請求項３に記載の発明は、前記請求項１または請求項２に記載の発明において、ソーラパネル取付面の傾斜角度が互いに異なる複数の前記取付台が設けられていることを特徴とする。
【００１２】
またさらに、請求項４に記載の発明は、前記請求項１から請求項３のいずれか１項に記載の発明において、前記風洞内に風力発電機が設けられていることを特徴とする。
【００１３】
また、請求項５に記載の発明は、前記請求項４に記載の発明において、前記風力発電機は、前記風洞の両端近傍部にそれぞれ設けられていることを特徴とする。
【００１４】
また、請求項６に記載の発明は、前記請求項１から請求項５のいずれか１項に記載の発明において、前記ゴンドラ本体の外面における取付台が設けられた部位に、該ゴンドラ本体の内部空間と前記風洞の内部空間とを連通する換気口が設けられていることを特徴とする。
【発明の効果】
【００１５】
まず、請求項１に記載の発明に係る索道用ゴンドラによれば、ソーラパネルを取り付けるための取付台と、ゴンドラ本体の外面との間に風洞が設けられるため、該風洞に導入された風により、ソーラパネルを冷却することができる。しかも、該風洞はゴンドラ前後方向に延びるように形成されているため、ゴンドラの運転時、ゴンドラの進行方向とは反対方向の風を確実に前記風洞に導入することができ、ソーラパネルを効率的に冷却することができる。よって、温度上昇に伴うソーラパネルの発電効率の悪化を防止することができるため、ソーラパネルの発電電力を、ゴンドラに搭載された電気機器または蓄電池に十分に供給することができる。
【００１６】
また、請求項１に記載の発明に請求項２に記載の発明を適用すれば、ゴンドラ本体の上面に前記取付台が取り付けられるため、ゴンドラ本体の側面に設けられる窓に取付台が干渉することを回避できるとともに、ソーラパネルに太陽光を十分に入射させることができる。
【００１７】
さらに、請求項３に記載の発明によれば、ソーラパネル取付面の傾斜角度が互いに異なる複数の前記取付台が設けられているため、時間帯や季節によって太陽光の入射方向が変化したとき、特定の取付台に取り付けられたソーラパネルの発電効率が低下しても、別の取付台に取り付けられたソーラパネルにおいて効率的に発電させることができる。そのため、ソーラパネル全体の発電効率を安定させることができる。
【００１８】
また、請求項４に記載の発明によれば、前記風洞内に風力発電機が設けられているため、風洞内の風力を利用して風力発電機で発電させることができる。よって、ソーラパネルの発電電力に加えて、前記風力発電機の発電電力も利用することができるため、ゴンドラに搭載された電気機器または蓄電池への電力供給を一層充実させることができる。
【００１９】
さらに、請求項４に記載の発明に請求項５に記載の発明を適用すれば、前記風洞の両端近傍部、すなわち、風洞へ導入された直後の風の通過部分にそれぞれ風力発電機が設けられているため、ゴンドラが往路または復路のいずれを進行するときも、進行方向前側の風力発電機において、風洞への導入直後の風を利用して効率よく発電することができる。
【００２０】
また、請求項６に記載の発明によれば、ゴンドラ本体の外面における取付台が設けられた部位に、ゴンドラ本体の内部空間と風洞の内部空間とを連通する換気口が設けられるため、該換気口は前記取付台で覆われることとなり、前記換気口を覆うための専用のカバー部材を省略することができる。
【図面の簡単な説明】
【００２１】
【図１】本発明の一実施形態に係る索道用ゴンドラを示す斜視図である。
【図２】索道用ゴンドラに搭載される各種電気機器への電力供給経路を示す模式図である。
【図３】第１の実施形態に係るゴンドラのソーラパネル取付部及びその周辺部を後方から見た断面図である。
【図４】第１の実施形態におけるゴンドラ本体を後方から見た図である。
【図５】左右のソーラパネルを同一方向に傾斜させたゴンドラ本体を後方から見た図である。
【図６】側面にソーラパネルが取り付けられたゴンドラ本体を後方から見た図である。
【図７】第２の実施形態に係るゴンドラのソーラパネル取付部及びその周辺部を後方から見た断面図である。
【図８】第２の実施形態における電力供給経路を示す模式図である。
【図９】風力発電機の取付位置を示す平面図である。
【図１０】第３の実施形態において内側換気口を閉じた状態におけるソーラパネル取付部及びその周辺部を後方から見た断面図である。
【図１１】第３の実施形態において内側換気口を開いた状態におけるソーラパネル取付部及びその周辺部を後方から見た断面図である。
【発明を実施するための形態】
【００２２】
以下、本発明の実施形態について説明する。なお、以下の説明において、「前」、「後」、「前後」、「右」、「左」、「左右」等の方向を示す用語は、ゴンドラの進行方向を「前」とした場合の方向を指すものとする。
【００２３】
図１は、本実施形態に係る索道用ゴンドラ１の外観を示す斜視図である。該ゴンドラ１は、ロープウェイにおいて乗客を輸送するために使用されるゴンドラであるが、本発明は、ロープウェイ以外の索道（例えばゴンドラリフト）に使用されるゴンドラや、荷物を輸送するために使用されるゴンドラにも適用することができる。
【００２４】
ゴンドラ１は、前後方向に長い概略直方体のゴンドラ本体２を有する。ゴンドラ本体２の前後左右の側面には、略全周に亘って複数の窓４が設けられており、これにより、ゴンドラ本体２の室内のあらゆる位置において高い視認性が確保されている。
【００２５】
ゴンドラ本体２の上面の左右両端部には、前後一対の連結部６，８が設けられており、該連結部６，８に吊り下げ部材１０の下端部が連結されている。ゴンドラ本体２は、該吊り下げ部材１０の上端部に連結された車輪を介して図示しない支索に吊り下げ支持されており、吊り下げ部材１０の上端部に連結された図示しない曳索または平衡索により引っ張られることにより支索に沿って進行するようになっている。
【００２６】
ゴンドラ本体２の上面には、ソーラパネル１２を取り付けるための左右一対の取付台１４が設けられている。各取付台１４は前後方向に延設されており、各取付台１４に、複数のソーラパネル１２が前後方向に並べて取り付けられている。また、取付台１４は、前記支索の下方部、すなわちゴンドラ本体２の左右方向中央部を避けるように配設されており、これにより、支索と車輪との間から落下する潤滑油がソーラパネル１２に付着して該ソーラパネル１２の発電効率が低下することが防止されている。
【００２７】
図２は、ソーラパネル１２の発電電力の電力供給経路を示している。ゴンドラ１には、ゴンドラ本体２の室内を空調する空調装置２１、ゴンドラ本体２の前面に設けられた前照灯２２、ゴンドラ本体２の後面に設けられた尾灯２４、ゴンドラ本体２の室内に設けられた室内灯２６、ゴンドラ本体２の室内で放送を行うための放送操作器２８、及び、ゴンドラ本体２の室内と外部の運転室等との間で無線連絡を行うための無線機本体２０などといった電気機器と、これらの電気機器へ供給する蓄電池１８とが搭載されている。蓄電池１８はソーラパネル１２に電気的に接続されており、ソーラパネル１２の発電電力が蓄電池１８に蓄電されるようになっている。また、蓄電池１８は、スイッチ盤２０を介して前記電気機器２１，２２，２４，２６，２８，３０に電気的に接続されており、スイッチ盤２０の操作に応じて各種電気機器２１，２２，２４，２６，２８，３０が作動するようになっている。なお、放送操作器２８には、該放送操作器２８で行われる放送の音声を流すためのスピーカ３２が電気的に接続されており、該スピーカ３２には放送操作器２８を介して電力が供給されるようになっている。また、無線機本体３０には、該無線機本体３０による無線連絡において通話するためのインターホン３４が電気的に接続されており、該インターホン３４には無線機本体３０を介して電力が供給されるようになっている。
【００２８】
以下、取付台１４及びその周辺部の構成について実施形態毎に説明する。
【００２９】
［第１の実施形態］
図３及び図４を参照しながら第１の実施形態について説明する。なお、図３及び図４はいずれも進行方向の後側から見た図である。また、右側の取付台１４及びその周辺部と左側の取付台１４及びその周辺部とは左右対称に構成されているため、図３を参照した説明においては、代表して左側部分の構成について説明する。
【００３０】
図３に示すように、ゴンドラ本体２の上面部は、屋外に露出する外側パネル４０と、室内空間に面する内側パネル４２とを有する２層構造となっている。外側パネル４０と内側パネル４２とは上下方向に間隔を空けて且つ互いに平行に配設されており、複数のスペーサ４４，４６を介して相互に連結されている。
【００３１】
取付台１４は、前後方向の全長に亘って略同一の断面形状を有し、該取付台１４の断面形状は略三角形となっている。具体的に、取付台１４は、ゴンドラ本体２の上面から立ち上がる第１の立ち上がり部５０と、該第１の立ち上がり部５０よりもゴンドラ本体２の左右方向中央部側においてゴンドラ本体２の上面から立ち上がる第２の立ち上がり部５２と、第１及び第２の立ち上がり部５０，５２の上端部間に跨るソーラパネル取付面部５４とを有する。第２の立ち上がり部５２は第１の立ち上がり部５０よりも高く形成されており、ソーラパネル取付面部５４は左側に傾いて配設されている。これにより、ソーラパネル取付面部５４に取り付けられたソーラパネル１２も左側に傾いて配設されるようになっており、該ソーラパネル１２には、斜め左上方からの光が特に効率的に入射するようになっている。
【００３２】
取付台１４は、第１及び第２の立ち上がり部５０，５２の下端部が外側パネル４０に固定されることで、ゴンドラ本体２に取り付けられている。取付台１４の前後方向両側の端面は開放しており、ゴンドラ本体２の上面と取付台１４とで囲まれた空間は前記開放端面を通して外部空間に連通している。なお、取付台１４の前後両側の開放端面には複数の桟１６が取り付けられており、これにより、鳥などの異物がゴンドラ本体２の上面と取付台１４との間に侵入することが防止されている。また、隣接する桟１６の間には、風洞５８内への風の導入を許容するための隙間１７が設けられている。
【００３３】
上記のように取付台１４が取り付けられていることにより、ゴンドラ本体２の上面と取付台１４との間には、前後方向に延び且つ両端部が開放した風洞５８が形成されている。そのため、該風洞５８を風が通ることにより、ソーラパネル１２の底面側から該ソーラパネル１２を冷却することができる。特に、ゴンドラ１の運転時は、ゴンドラ１の進行方向とは反対方向の風を確実に風洞５８に導入することができ、ソーラパネル１２を効率的に冷却することができる。よって、温度上昇に伴うソーラパネル１２の発電効率の悪化を防止することができるため、ソーラパネル１２の発電電力を、ゴンドラ１に搭載された電気機器または蓄電池に十分に供給することができる。
【００３４】
図４に示すように、本実施形態において、左右の取付台１４のソーラパネル取付面は、互いに異なる傾斜角度を有する。具体的に、左側の取付台１４のソーラパネル取付面は左側に傾いて配設され、右側の取付台１４のソーラパネル取付面は右側に傾いて配設されている。そのため、時間帯によって太陽光の入射角度が変化しても、晴天であれば昼間のいずれの時間帯においても左右いずれかのソーラパネル１２に太陽光が効率的に入射するため、全てのソーラパネル１２の総発電量を良好に維持することができる。具体的には、例えば、ゴンドラ１が北から南に向かって進行する場合、すなわち、午前の太陽光Ｐが斜め左上方から入射し、午後の太陽光Ｑが斜め右上方から入射する場合、午前の太陽光Ｐは左側のソーラパネル１２に効率的に入射し、午後の太陽光Ｑは右側のソーラパネル１２に効率的に入射するため、晴天であれば昼間のいずれの時間帯においても十分な発電量を安定して得ることができる。
【００３５】
なお、本実施形態では、取付台１４のソーラパネル取付面が右側または左側に傾斜して配設されているが、ソーラパネル取付面の傾斜方向は特に限定されるものでない。また、取付台１４の設置数は必ずしも２つである必要はなく、１つ又は３つ以上であってもよい。
【００３６】
また、図５に示すように、左右の取付台１４のソーラパネル取付面は、同一の方向（例えば左方向）に傾斜して配設するようにしてもよい。これにより、例えば、北半球においてゴンドラ１が東から西に向かって進行する場合、すなわち、昼間のいずれの時間帯においても太陽光が斜め左上方から入射する場合、晴天であれば昼間のいずれの時間帯も全てのソーラパネル１２で効率的に発電することができる。なお、図５に示す実施形態において、左右の取付台１４のソーラパネル取付面は、同一の角度で傾斜して配設されているが、異なる角度で傾斜させるようにしてもよい。
【００３７】
さらに、本発明において、ソーラパネル１２及び取付台１４は、ゴンドラ本体２の外面であれば、必ずしもゴンドラ本体２の上面に取り付ける必要はない。例えば、図６に示すように、ゴンドラ本体２の側面に取付台１４を取り付けて、該取付台１４に、太陽光が入射可能な傾斜角度でソーラパネル１２を取り付けるようにしてもよい。また、図示は省略するが、複数の取付台１４をゴンドラ本体２の同一の側面に設けたり、ゴンドラ本体２の複数の側面にそれぞれ１又は複数の取付台１４を設けたりしてもよい。
【００３８】
［第２の実施形態］
図７〜図９を参照しながら第２の実施形態について説明する。なお、図７は進行方向の後側から見た図である。また、右側の取付台１４及びその周辺部と左側の取付台１４及びその周辺部とは左右対称に構成されているため、図７を参照した説明においては、代表して左側部分の構成について説明する。さらに、第１の実施形態と同様の構成からなる部材については、図７〜図９において第１の実施形態と同一の符号を付しており、詳細な説明を省略する。
【００３９】
図７に示すように、第２の実施形態では、風力発電機６０が前記風洞５８内に設けられ、例えば外側パネル４０に固定されている。風力発電機６０は風車６１を備え、風洞５８を風が通るときに風車６１が適切に回転するような位置及び向きで配設されている。風車６１としては例えば水平軸タイプの風車が用いられるが、垂直軸タイプの風車を用いてもよい。第２の実施形態によれば、風洞５８を通る風の風力を利用して風力発電機６０で効率的に発電することができ、該風力発電機６０の発電電力を、ソーラパネル１２の発電電力と組み合わせて利用することができる。
【００４０】
図８を参照しながら具体的に説明すると、風力発電機６０は蓄電池１８に電気的に接続されている。そのため、第２の実施形態では、ソーラパネル１２の発電電力に加えて、風力発電機６０の発電電力も蓄電池１８に供給されるため、蓄電池１８の充電効率を高めることができる。よって、ゴンドラ１に搭載された各種電気機器２１，２２，２４，２６，２８，３０への電力供給を一層安定させることができる。
【００４１】
また、風力発電機６０は、好ましくは、風車６１を利用した風力計としての機能を兼ね備えている。そのため、風力計を別途設置しなくても、風力発電機６０により、ゴンドラ１を安全に運転できる風の状態であるか否かを確認することができる。なお、風力発電機６０を風力計として使用する場合は、蓄電池１８からスイッチ盤２０を経由して風力計６０に電力が供給される。
【００４２】
図９に示すように、風力発電機６０は、左右の各風洞５８の両端近傍部にそれぞれ設けられている。そのため、ゴンドラ１が往路または復路のいずれを進行するときも、進行方向前側の風力発電機６０において、風洞５８に取り込まれた直後の比較的大きな風力を利用して効率よく発電することができる。
【００４３】
［第３の実施形態］
図１０及び図１１を参照しながら第３の実施形態について説明する。なお、図１０及び図１１は進行方向の後側から見た図である。また、第１の実施形態と同様の構成からなる部材については、図１０及び図１１において第１の実施形態と同一の符号を付しており、詳細な説明を省略する。
【００４４】
図１０及び図１１に示すように、ゴンドラ本体２の上面における取付台１４が設けられた部位に、ゴンドラ本体２の内部空間と風洞５８の内部空間とを連通する換気口７０，７２が設けられており、該換気口７０，７２を通してゴンドラ本体２の室内を換気できるようになっている。なお、換気口７０，７２は、左右の取付台１４が設けられた両部位のうち一方にのみ設けてもよいし、両方に設けてもよい。
【００４５】
具体的に、外側パネル４０に第１の換気口７０が設けられ、内側パネル４２に第２の換気口７２が設けられている。これらの換気口７０，７２は、風洞５８の長さ方向中央部に配設されており、取付台１４により上側から覆われている。そのため、換気口７０，７２を専用のカバー部材で覆わなくても、雨水等が換気口７０，７２を経由してゴンドラ本体２の室内へ侵入することが防止されている。
【００４６】
また、第２の換気口７２には、該換気口７２を塞ぐ蓋８２が開閉可能に設けられており、該蓋８２の開閉により、ゴンドラ本体２の室内を換気状態と密閉状態との間で切り換え可能となっている。
【００４７】
蓋８２の例えば左端部は、内側パネル４２に固定された連結部材８４に回転可能に支持されており、蓋８２の例えば右端部には、閉じた状態の蓋８２の当該部分を内側パネル４２に係止するための係止機構が設けられている。該係止機構は、内側パネル４２に固定された係止部材８６と、該係止部材８６に係止可能なように蓋８２に設けられた被係止部材８８とを備えている。蓋８２と外側パネル４０との間には油圧シリンダ９０が設けられており、該油圧シリンダ９０は、蓋８２の上面に連結されたシリンダ本体９２と、外側パネル４０の下面に連結されたシリンダロッド９４とを有する。該油圧シリンダ９０が伸縮すると、蓋８２は回動し、第２の換気口７２を開閉するようになっている。具体的に、シリンダ９０が伸長した状態では、図１０に示すように蓋８２が閉じられた状態となり、シリンダ９０が収縮されると、図１１に示すように蓋８２が開くようになっている。なお、このような蓋８２の開閉動作は、ゴンドラ本体２の所定位置に設けられた操作部により操作可能となっている。
【００４８】
なお、第３の実施形態においても、第２の実施形態と同様に、風洞５８内に風力発電機６０を設けるようにしてもよい。
【００４９】
以上、上述の実施形態を挙げて本発明を説明したが、本発明は上述の実施形態に限定されるものではない。
【産業上の利用可能性】
【００５０】
以上のように、本発明によれば、ゴンドラ本体の外面に取り付けられたソーラパネルの発電効率を良好に維持することが可能となるから、蓄電池や種々の電気機器をゴンドラに搭載した索道関連産業の分野において好適に利用される可能性がある。
【符号の説明】
【００５１】
１：索道用ゴンドラ、２：ゴンドラ本体、１２：ソーラパネル、１４：ソーラパネル取付台、１８：蓄電池、６０：風力発電機、７０：第１の換気口、７２：第２の換気口。
【図１】
2011246043.tif 000003
【図２】
2011246043.tif 000004
【図３】
2011246043.tif 000005
【図４】
2011246043.tif 000006
【図５】
2011246043.tif 000007
【図６】
2011246043.tif 000008
【図７】
2011246043.tif 000009
【図８】
2011246043.tif 000010
【図９】
2011246043.tif 000011
【図１０】
2011246043.tif 000012
【図１１】
2011246043.tif 000013